(57)【要約】【課題】  すでに読み終えた部分を読み返す必要なく、事前にあらすじを把握して前回読み終えた部分から電子書籍を読むことのできる電子書籍表示装置を提供する。【解決手段】  電子書籍の文字表示データに所定の位置までのあらすじを記憶したあらすじ表示データを関連付けて記憶部１２に記憶する。そして閲覧を終了するときに表示履歴データを記憶部１２に記憶する。そして次回閲覧するときに、表示履歴データが記憶した位置を含むページを表示する際に、その位置にあらかじめ関連付けられていたあらすじ表示データを表示する。これにより、読者は、電子書籍の閲覧を再開するときに、表示履歴データを関連付けた位置を表示する際に、その位置までのあらすじを事前に把握できるので、前のページを読み返す必要が無くなる。【選択図】        図４
2007004369.tif 000002
【特許請求の範囲】
【請求項１】
表示手段と、
文章を構成する文字表示データ群を記憶した記憶手段と、
外部から操作入力可能な操作入力手段とを備え、
当該操作入力手段による読出開始入力に応じて前記記憶手段から文字表示データを順次に抽出し前記表示手段に表示する一方、その表示履歴を前記操作入力手段の終了入力に応じて前記記憶手段に表示履歴データとして記憶するとともに、前記記憶手段に記憶された表示履歴データに基づいて、前記操作入力手段の終了入力がなされた位置の文字表示データを含む文章途中から前記文字表示データを順次に抽出して表示可能とする文字表示データ表示制御手段を備えた電子書籍表示装置であって、
前記記憶手段には、前記文章を構成する文字表示データ群に含まれる文字表示データに関連付けられた、あらすじ表示データが記憶されており、
前記記憶手段により記憶された表示履歴データに基づいて、前記記憶手段に記憶されたあらすじ表示データを抽出し、抽出されたあらすじ表示データを前記表示手段に表示するあらすじ表示制御手段と、を備えた電子書籍表示装置。
【請求項２】
前記あらすじ表示制御手段は、前記操作入力手段による、あらすじ表示要求入力がなされたことを条件として、前記表示手段にあらすじ表示データを表示することを特徴とする請求項１に記載の電子書籍表示装置。
【請求項３】
表示手段と、
文章を構成する文字表示データ群と、当該文字表示データ群の夫々の文字表示データ又は特定の文字表示データにあらかじめ関連付けられた、あらすじ表示データとを記憶する記憶手段と、
前記記憶手段で記憶された文章を構成する文字表示データ群の文字表示データを順次に読出し、前記表示手段に表示させる位置を、任意に指定可能な読出位置指定手段と、
前記読出位置指定手段によって指定をされた文字表示データの位置から、文字表示データを順次に読み出して表示をする文字表示データ表示制御手段と、
前記文字表示データ表示制御手段により表示をした文字表示データ又は特定の文字表示データに予め関連付けられた、あらすじ表示データを表示するあらすじ表示制御手段と、を備える電子書籍表示装置。
【発明の詳細な説明】
【技術分野】
【０００１】
本発明は、電子書籍を閲覧する際にしおりを付し、そのしおりから電子書籍の閲覧を再開する際に単に前回しおりを付したページを表示するだけでなく、前回閲覧した部分までのあらすじ等を表示して、再度閲覧する際の補助をすることのできる電子書籍表示装置に関するものである。
【背景技術】
【０００２】
書物や新聞、雑誌等に代わるものとして、活字やマンガ等の電子書籍データをウェブ上からダウンロードしたり、外部記憶媒体から読み込むなどをして表示装置に取り込み、閲覧することのできる電子書籍表示装置が知られている。
【０００３】
従来の電子書籍表示装置では、閲覧を途中で中断したい場合に、いわゆるしおりを付しておくことができる。そして、閲覧を再開する際には、そのしおりを指定すれば、しおりを付したページが画面上に表示されるので、前回読んだところから閲覧を再開することができる。
【０００４】
しかし読者は、必ずしも前回読んだところまでの内容を覚えているとは限らず、あらすじの詳細や登場人物の名前等を忘れてしまうこともある。ここで、従来のように前回読んだところまでを示す目印としてのしおり機能のみでは、せっかく新たな部分を読もうとしても、読者があらすじ等を忘れてしまっている場合には、再度前のページから読み直さなければならない、という事態が生じていた。
【特許文献１】特開平２００１−１２５９２１号公報
【発明の開示】
【発明が解決しようとする課題】
【０００５】
特許文献１では、しおりマークを付す際に属性データとして日付や色の情報を加えてしおりマークを付すことができるが、単にしおりを付した日付やしおりの色のみでは、そのしおりを見た読者は、そのしおりを付したページの前までの内容を読み取ることはできない。
【０００６】
そこで、読者が文書のあるページから読み始める場合に、すでに読み終えた部分を読み返す必要が無いように、そのページまでのあらすじを表示する電子書籍表示装置が求められている。
【課題を解決するための手段】
【０００７】
以上のような課題を解決するために、本発明は、以下のような電子書籍表示装置を提供する。
【０００８】
(１)表示手段と、文章を構成する文字表示データ群を記憶した記憶手段と、外部から操作入力可能な操作入力手段とを備え、当該入力手段による読出開始入力に応じて前記記憶手段から文字表示データを順次に抽出し前記表示手段に表示する一方、その表示履歴を前記操作入力手段の終了入力に応じて前記記憶手段に表示履歴データとして記憶するとともに、前記記憶手段に記憶された表示履歴データに基づいて、前記操作入力手段の終了入力がなされた位置の文字表示データを含む文章途中から前記文字表示データを順次に抽出して表示可能とする文字表示データ表示制御手段を備えた電子書籍表示装置であって、前記記憶手段には、前記文章を構成する文字表示データ群に含まれる文字表示データに関連付けられた、あらすじ表示データが記憶されており、前記記憶手段により記憶された表示履歴データに基づいて、前記記憶手段に記憶されたあらすじ表示データを抽出し、抽出されたあらすじ表示データを前記表示手段に表示するあらすじ表示制御手段と、を備えた電子書籍表示装置。
【０００９】
(１)に記載の発明によれば、表示履歴データに基づいてあらすじ表示データを抽出して、文字表示データに関連付けられたあらすじ表示データを表示することができる。例えば、表示履歴データに記憶された位置から、文字表示データを表示する際に、表示する文字表示データに関連付けられたあらすじ表示データを表示することができる。これにより、どこで読み終えたとしても、その部分までのあらすじが表示され、前回読んだところまでの内容を読者が忘れたとしても、あらすじを予め表示させて読むことで、そのあらすじを把握することができるので、読者は読み返すことなく、新たな部分を読み進めることができる。
【００１０】
(２)前記あらすじ表示制御手段は、前記操作入力手段による、あらすじ表示要求入力がなされたことを条件として、前記表示手段にあらすじ表示データを表示することを特徴とする（１）に記載の電子書籍表示装置。
【００１１】
(２)に記載の発明によれば、あらすじ表示要求入力がなされたことを条件にあらすじ表示データを表示することができる。これにより、文字表示データを閲覧中にいつでもあらすじ表示データをみることができるので、閲覧中にあらすじを確認することができる。また、あらすじ表示要求入力をしなければ、あらすじ表示データを表示しないので、あらすじを見ずに、すぐにも続きを読みたいといった需要も満たすことができる。
【００１２】
（３）表示手段と、文章を構成する文字表示データ群と、当該文字表示データ群の夫々の文字表示データ又は特定の文字表示データにあらかじめ関連付けられた、あらすじ表示データとを記憶する記憶手段と、前記記憶手段で記憶された文章を構成する文字表示データ群の文字表示データを順次に読出し、前記表示手段に表示させる位置を、任意に指定可能な読出位置指定手段と、前記読出位置指定手段によって指定をされた文字表示データの位置から、文字表示データを順次に読み出して表示をする文字表示データ表示制御手段と、前記文字表示データ表示制御手段により表示をした文字表示データ又は特定の文字表示データに予め関連付けられた、あらすじ表示データを表示するあらすじ表示制御手段と、を備える電子書籍表示装置。
【００１３】
（３）に記載の発明によれば、表示履歴データがなくても、読出位置指定手段で指定した文字表示データの位置から、文字表示データを順次読み出して表示し、その表示した文字表示データに予め関連付けられたあらすじ表示データが画面上に表示される。これにより、いわゆるしおり機能を使用しなくても、任意の位置から文字表示データを読むことができ、かつあらすじも把握して閲覧することができる。
【発明の効果】
【００１４】
本発明によれば、表示履歴データに記憶した位置から文字表示データを表示するときに、表示する文字表示データにあらかじめ関連付けられたあらすじ表示データを表示することができ、事前にあらすじを把握して、すでに読み終えた部分を読み返すことなく文字表示データの続きを読むことのできる、電子書籍表示装置を提供する。
【発明を実施するための最良の形態】
【００１５】
以下に、本発明の好適な実施形態を図面に基づいて説明する。
【００１６】
図１は、本発明における電子書籍表示装置１の概略構成を示した図である。電子書籍表示装置１は、おもて面には、電子書籍を表示する表示部２４、ページをめくるためのボタン７ａ、７ｂ、入力ボタン８、あらすじを表示させるためのあらすじ表示ボタン９、その他の操作のためのボタンがある。なお、操作用のボタンは側面に配置してもよい。そして、表示部２４には、電子書籍表示装置１に読み込んだ文字表示データ等が表示される。
【００１７】
また、装置の裏面（図示せず）には、後述する外部記憶装置接続部２０、電源スイッチ、電池パック等が設けられている。また、音声を出力するための小型スピーカを配置してもよい。
【００１８】
図２は、電子書籍表示装置１の概略構成を示したブロック図である。電子書籍表示装置１は、記憶部１２、外部記憶装置接続部２０、操作入力部２２、表示部２４、制御部２６、文字表示データ表示制御部１４、あらすじ表示データ表示制御部１６等で構成されている。
【００１９】
記憶部１２は、電子書籍の制御プログラムや文字表示データ、あらすじ表示データ、表示履歴データやその他各種プログラムを記憶する。記憶部１２は、例えば、主記憶装置や、不揮発性のＥＥＰＲＯＭ（フラッシュＥＥＰＲＯＭも含む）などのＩＣメモリであってよい。
【００２０】
ここで、表示履歴データは、制御部２６が電子書籍の文章を構成する文字表示データを読み込んで表示部２４に表示しているときに、閲覧の終了入力がなされた位置を表すデータを少なくとも含む。次に読者がその表示履歴データに記憶した位置から文字表示データを閲覧するときには、文字表示データ表示制御部１４は、記憶部１２から表示履歴データを読み出して、表示履歴データが記憶した位置と文字表示データと照らし合わせる。そして、当該表示履歴データが記憶した位置を含む文字表示データを順次抽出して、表示部２４に表示を開始する。表示履歴データに記憶する位置は、表示部２４に表示されているページ単位でもよいし、表示部２４に表示されている文字表示データの行単位もしくは文字単位で位置を記憶してもよい。
【００２１】
ここで、あらすじ表示データとは、文字表示データにあらかじめ関連付けられたデータのことをいう。あらすじ表示データは、文字情報としてのあらすじであってもよいし、そのあらすじをアニメーション等で表した動画データであってもよい。
【００２２】
まず、文字表示データは、あらかじめ複数の部分に分けられており、同一の部分に含まれる文字表示データには、同一のあらすじコードが割り振られている。そして、当該あらすじコードとあらすじ表示データが図３のあらすじ表示データ・あらすじコード対応テーブル８０に関連付けて記憶されている。あらすじ表示データ・あらすじコード対応テーブル８０は、あらすじコードが格納されるあらすじコードフィールド８２とあらすじ表示データが格納されるあらすじ表示データフィールド８４で構成されている。そこで、文字表示データ表示制御部１４が、ある文字表示データが属するページを表示部２４に表示する際には、あらすじ表示データ表示制御部１６は、表示する文字表示データに付されたあらすじコードを読み取り、あらすじ表示データ・あらすじコード対応テーブル８０から、対応するあらすじ表示データファイルを読み込み、表示部２４に表示する。
【００２３】
また、表示部２４に表示される文字表示データが属するページに、複数のあらすじコードが含まれている場合は、あらすじ表示データ表示制御部１６は、当該ページ内にある文字表示データのうち、最初の文字表示データに割り振られているあらすじコードに対応するあらすじ表示データを表示する。さらに、表示履歴データに記憶する位置を、表示されるページの行単位で付すことが可能な場合は、あらすじ表示データ表示制御部１６は、しおりデータが付された行に含まれる文字表示データに割り振られた、あらすじコードに対応するあらすじ表示データを表示してもよい。
【００２４】
外部記憶装置接続部２０は、文字表示データを記憶部１２に読み込むためのインターフェースである。これは、外部記憶装置やコンピュータから入力することのできる、ＵＳＢをはじめとするインターフェースであってよく、ＳＤメモリやコンパクトフラッシュ（登録商標）、メモリースティック等のいわゆるメモリーカードに対応した各種リーダーであってもよい。また、赤外線通信によるダウンロードが可能であってもよい。
【００２５】
操作入力部２２は、文字表示データへの操作について、視線位置の座標の検出による操作を選択しない場合に使用する操作用のページめくりボタン７a、７b及び入力ボタン８、あらすじ表示ボタン９等で構成されている。
【００２６】
表示部２４は、入力された情報や文字表示データなどを表示する。表示部２４は、例えば、液晶表示ディスプレイやプラズマディスプレイ、又はＥＬディスプレイなどと透明タブレットとで一体形成され、画面上には、文字表示データや操作用の選択画面が表示される。
【００２７】
制御部２６は、電子書籍表示装置１の全体を制御する制御部を示し、記憶部１２に記憶されている各種プログラムの稼動、各種選択の受付等を行う。また、文字データ表示制御部１４及びあらすじ表示データ表示制御部１６を含む。例えば、ＣＰＵ、ＲＯＭ，ＲＡＭ、Ｉ/Ｏポート等で構成される。また、この中央処理装置と協働して動作する画像処理専用の演算装置等を含んでもよい。
【００２８】
文字表示データ表示制御部１４は、表示履歴データに含まれる位置情報が示す位置の文字表示データが属するページを記憶部１２から読み出して、表示部２４に表示する。
【００２９】
あらすじ表示データ表示制御部１６は、文字表示データ表示制御部１４が、文字表示データが属するページを表示部２４に表示する際に、あらすじ表示データをあらすじ表示データ・あらすじコード対応テーブルから読み出してあらすじ表示データを表示部２４に表示する。
【００３０】
［閲覧処理の概要］
図４は、本発明に係る電子書籍表示装置１の閲覧処理を示したフローチャートである。以下に閲覧処理のフローを説明する。
【００３１】
まず、読者が文字表示データを閲覧する際には、文字表示データ表示制御部１４は、記憶部１２に記憶されている文字表示データの一覧を表示部２４に表示する（ステップＳ１００）。ここで表示する文字表示データは、各文字表示データのファイル名であってもよいし、書籍の題名であってもよい。
【００３２】
ステップＳ１００で文字表示データの一覧が表示されると、制御部２６は、読者による閲覧したい文字表示データの選択を受け付ける。（ステップＳ１１０）。当該選択を受け付けると、選択された文字表示データを記憶部１２から制御部２６の作業領域に読み込む（ステップＳ１２０）。
【００３３】
ステップＳ１２０で文字表示データを読み出す際に、制御部２６は文字表示データの最終ページ数を変数ｍとして記憶部１２に記憶する（ステップＳ１３０）。この処理が終了した場合には、選択した電子書籍に係る文字表示データの表示処理（ステップＳ１４０）に移る。この処理については後述する。以上説明したステップＳ１００からステップＳ１４０までの一連の処理を、終了指示を受け付ける（ステップＳ１５０）まで繰り返す。
【００３４】
次に、制御部２６は、操作入力部２２を介して、電子書籍表示装置１の使用を終了する旨を受け付けた場合には、電子書籍表示装置１の電源をＯＦＦとして、終了する。
【００３５】
具体的には、制御部２６は、終了するか否かのメッセージと共に選択肢を表示部２４に表示し、読者からの入力を受け付けることにより行う。もしくは電源ボタンの押下により終了としてもよい。電子書籍表示装置１の使用を終了しない場合には、制御部２６は、ステップＳ１００に処理を戻し、文字表示データの閲覧処理を再度開始する。また、電子書籍表示装置１の使用を終了する場合には、制御部２６は、後述するステップＳ２７５で終了操作の受付をおこなったか否かを判別する（ステップＳ１６０）。終了操作の受付を行っていない場合、例えば、電源ボタンの押下の受付を行った場合は、文字表示データにおける現在表示中の位置を表示履歴として、表示履歴データに記憶し（ステップＳ１７０）、電子書籍表示装置１の電源をＯＦＦにして、終了する。
【００３６】
［文字表示データ表示処理］
図５を用いて、文字表示データ表示処理（図４のステップＳ１４０）の流れを説明する。
【００３７】
まず、制御部２６は、ステップＳ１２０で読み出した文字表示データについて、表示履歴データに表示履歴が記憶されているか否かを判別する（ステップＳ２００）。具体的には、制御部２６は、記憶部１２に、当該文字表示データに関する表示履歴データに表示履歴が記憶されているか否かを検索する。当該表示履歴データに表示履歴が存在すれば、制御部２６は、その表示履歴データを読み込む（ステップＳ２２０）。そして、表示履歴データに記憶した表示履歴により指定された文字表示データの位置が含まれるページのページ数を変数ｎに格納し、記憶部１２に記憶する（ステップＳ２３０）。
【００３８】
逆に制御部２６が、表示履歴データに表示履歴が無いと判別した場合は、制御部２６は、その文字表示データについては最初の位置から表示部２４に表示させるため、ページ数を指す変数ｎに１をセットする（ステップＳ２１０）。以降ページをめくる操作をするにしたがって、制御部２６は、変数ｎを更新していき、現在のページ数を認識していく。この処理が終了した場合には、ステップＳ２４０に処理を移す。
【００３９】
尚、表示履歴データを使用せずに直接ページを指定するようにしてもよい。その場合は、図６のように、制御部２６は、ステップＳ１２０で読み出した文字表示データの目次を表示して、ページを表示したい章５０や節の選択を促し、選択を受け付けた場合には、選択を受け付けた章や節の最初のページを表示するようにしたり、又はページ数が目次に表示してある場合は、読者がそのページ数５２を選択して、その選択を受け付けるようにしてもよい。
【００４０】
ステップＳ２４０では、文字表示データ表示制御部１４は、ステップＳ２１０又はステップＳ２３０により記憶された変数ｎで示されるページを表示部２４に表示する。この処理が終了した場合には、ステップＳ２５０に処理を移す。
【００４１】
制御部２６は、ステップＳ２４０でページを表示中に、表示部２４に表示中のページに属する文字表示データに関連付けられたあらすじ表示データを表示するか否かの選択を受け付ける（ステップＳ２５０）。具体的には、制御部２６は、あらすじ表示ボタン９の押下を受け付けることにより行う。あらすじ表示ボタンの押下が無い場合は、ステップＳ２７５に処理を移す。
【００４２】
また、ステップＳ２５０であらすじ表示ボタンの押下を受け付けた場合は、あらすじ表示データ表示制御部１６は、当該しおりデータに基づいて、当該表示履歴データが記憶した表示履歴が示す位置が含まれるページに属する文字表示データに含まれるあらすじコードを読み取る。表示部２４に表示された文字表示データが属するページ内に複数のあらすじコードがある場合には、あらすじ表示データ表示制御部１６は、当該ページ内にある文字表示データのうち、最初の文字表示データに割り振られているあらすじコードを読み取る。そして、あらすじ表示データ表示制御部１６は、あらすじ表示データ・あらすじコード対応テーブル８０に基づいて、記憶部１２から、関連するあらすじ表示データを読み込む（ステップＳ２６０）。
【００４３】
そして、あらすじ表示データ表示制御部１６は、読み込んだしおりデータが示す位置の文字表示データが属するページに関連付けられたあらすじ表示データを、表示部２４に表示する（ステップＳ２７０）。図７は、あらすじ表示データを表示部２４に表示した場合の一例を示す。あらすじ表示データの表示画面７０が表示部２４の前面に表示され、あらすじを示す文字情報７２と共に、そのあらすじの内容や、前ページまでの主要な場面をアニメーションとして表現した動画が表示されている。表示されるあらすじ表示データは、この方式に限らず、文字情報もしくは動画のみで構成されていてもよい。また、電子書籍表示装置１で音声出力が可能であれば、あらすじ表示データに音声データを付加して音声を再生してもよく、あらすじ表示データを音声のみで構成して、音声のみを再生してもよい。
【００４４】
ステップＳ２４０でページを表示部２４に表示中、又はあらすじ表示データを表示部２４に表示中あるいは表示後に、制御部２６は、終了操作の受付を待機する（ステップＳ２７５）。具体的には、例えば、入力ボタン８のいずれかを終了操作用ボタン（図示せず）として設定しておき、そのボタンの押下をすることにより、受け付ける。終了操作用ボタンの押下が無い場合は、ステップＳ２８０に処理を移す。
【００４５】
また、制御部２６は、該当するページを表示中にページめくりの操作の受付を待機する。まず、具体的には、制御部２６は、ページめくりボタン７ａ、７ｂの押下があった場合、ページめくりの操作があったと受け付ける。そして、制御部２６が押下の受付をした場合（ステップＳ２８０）には、変数ｎをインクリメントする（変数ｎ＝ｎ+１）（ステップＳ３００）。また、ステップＳ２８０で、ページ送り処理に関連付けられたページめくりボタン７ａ、７ｂの押下が無い場合には、ステップＳ２９０に処理を移す。
【００４６】
ステップＳ２９０で、制御部２６がページ戻り処理に関連付けられたページめくりボタン７ａ、７ｂの押下の受付をした場合には、変数ｎをディクリメントし（ｎ＝ｎ-１）（ステップＳ３１０）、ステップＳ３２０に処理を移す。ステップＳ２９０でページめくりボタン７ａ、７ｂの押下が無い場合、もしくは入力ボタン８等の関係の無いボタンを読者が押下した場合は、ステップＳ２４０に処理を戻し、制御部２６はそのまま当該ページを表示部２４への表示を継続する。
【００４７】
ステップＳ３２０では、現在のページ数（変数ｎ）と最終ページ数（変数ｍ）を比較する。この比較により、変数ｎが最終ページ数を超えているか否かを判別する。そして、変数ｎが変数ｍ以下である場合は、ステップＳ２４０に処理を戻してページ表示を更新する。また、ｎ＝ｍの場合は、本サブルーチンを終了し、ステップＳ１５０（図４）に処理を戻す。
【００４８】
ステップＳ２７５において、例えば制御部２６が終了操作用ボタンの押下を受け付けた場合は、現在表示している文字表示データの閲覧を終了するか否かの読者の選択の受付処理を行う（ステップＳ３４０）。これは、制御部２６は、閲覧終了を問う選択画面を表示部２４に表示し、入力ボタンの押下を検出することによって読者の選択を受け付ける。
【００４９】
閲覧を終了しないという選択を受け付けた場合は、制御部２６は、ステップＳ２４０に処理を戻す。また、制御部２６は、閲覧終了である旨の選択を受け付けた場合は、さらに、現在表示部２４に表示している位置を表示履歴データに記憶するか否かの選択の受付処理を行う（ステップＳ３５０）。具体的には、表示履歴データを記憶するか否かの選択画面を表示部２４に表示して読者の選択を受け付けることにより行うが、入力ボタン８のいずれかを表示履歴ボタンとして割り当てている場合には、表示履歴ボタンの押下を認識することによりおこなってもよい。
【００５０】
ステップＳ３５０で、制御部２６が、終了状態を保存するという選択を受け付けた場合は、現在表示している位置を表示履歴データの表示履歴として、記憶部１２に記憶し（ステップＳ３６０）、表示履歴を記憶しない選択を受け付けた場合には、本サブルーチンを終了し、ステップＳ１５０（図４）に処理を移す。
【００５１】
以上、本発明の実施形態を説明したが、具体例を例示したに過ぎず、特に本発明を限定しない。また、本発明の実施形態に記載された効果は、本発明から生じる最も好適な効果を列挙したに過ぎず、本発明による効果は、本発明の実施形態に記載された効果に限定されない。
【図面の簡単な説明】
【００５２】
【図１】本発明の好適な実施形態の一例に係る電子書籍表示装置１の概略構成を示した図である。
【図２】本発明の好適な実施形態の一例に係る電子書籍表示装置１の概略構成を示したブロック図である。
【図３】本発明の好適な実施形態の一例に係る電子書籍表示装置１におけるあらすじ表示データ・あらすじコード対応テーブルである。
【図４】本発明の好適な実施形態の一例に係る電子書籍表示装置１の処理の流れを示すフローチャートである。
【図５】本発明の好適な実施形態の一例に係る電子書籍表示装置１の処理の流れを示すフローチャートである。
【図６】本発明の好適な実施形態の一例に係る電子書籍表示装置１における文字表示データ表示時の表示例である。
【図７】本発明の好適な実施形態の一例に係る電子書籍表示装置１における動画データ表示時の表示例である。
【符号の説明】
【００５３】
１    電子書籍表示装置
７ａ、７ｂ  ページめくりボタン
８    入力ボタン
９    あらすじ表示ボタン
１２  記憶部
１４  文字表示データ表示制御部
１６  あらすじ表示データ表示制御部
２２  操作入力部
２６  制御部
２４  表示部
【図１】
2007004369.tif 000003
【図２】
2007004369.tif 000004
【図３】
2007004369.tif 000005
【図４】
2007004369.tif 000006
【図５】
2007004369.tif 000007
【図６】
2007004369.tif 000008
【図７】
2007004369.tif 000009